(57)【要約】水処理装置用にセラミック製ディスクダイバータバルブが使用される。前記ダイバータは２つの静止したディスク間に挟まれた可動なディスクを具備する。前記可動なディスクは、処理されない水の流れ、又は処理されない水のスプレイ、又は処理された水の流れを吐出するための３つの異なる位置の間において回転される。処理された水を吐出する場合に、前記ダイバータは第２の出口からの水の流れを水処理装置の方向へ向かわせる。処理された水は、第２の入口を介して前記ダイバータに還流し、前記ダイバータから処理水出口を介して吐出される。処理されない水を吐出する場合に、第２の入口と第２の出口は共に、セラミック製ディスクによりシールされる。可動なディスクは、ハウジングから突き出る一体のハンドルを具備することが好ましい。
2004537682.tif 000002
【特許請求の範囲】
【請求項１】
セラミック製ディスクダイバータバルブにおいて、このセラミック製ディスクダイバータバルブは、
入口と、第１の出口と、第２の出口とを具備する、本体であって、該本体が第２の入口と第２の出口とを更に具備する、本体と、
該入口が水蛇口に流体的に連絡する状態で、該本体を前記水蛇口に固定するための手段と、
該本体内で静止するセラミック製ディスクと、
該静止したディスクに係合していて、該本体内で可動に配設されるセラミック製ディスクと、
該可動なディスクを、該入口が該第２の出口に連絡していて該第２の入口が該第１の出口に連絡している第１の位置と、該入口が該第２の出口に連絡している第２の位置と、の内の１つに選択的に移動するための手段と、
を具備しており、
該可動なディスクは、該第２の位置にある場合に、該第２の出口及び該第２の入口を能動的にシールする、
セラミック製ディスクダイバータバルブ。
【請求項２】
該本体は、第３の出口を具備しており、該移動のための手段は、該入口が該第３の出口に連絡している第３の位置に該可動なディスクを移動するための手段を更に具備しており、該可動なディスクは、該第３のモードにある場合に、該第２の出口と該第２の入口を能動的にシールしており、更に
該第２の出口と該第３の出口の内の１つはストリーム出口であり、該第１又は第２の出口の内の他方はスプレイ出口である、
請求項１に記載のセラミック製ディスクダイバータバルブ。
【請求項３】
該可動なセラミックディスクを移動するための該手段は、該可動なセラミックディスクから伸張するハンドルを具備する請求項２に記載のセラミック製ディスクダイバータバルブ。
【請求項４】
該ハンドルは該可動なセラミックディスクと一体である請求項３に記載のセラミック製ディスクダイバータバルブ。
【請求項５】
該静止したディスクと該本体との間に配設されたガスケットと、
該静止したディスクと該ガスケットを、該可動なディスクに対して独立する該本体にクランプするためのクランプ手段と、
を更に具備する、請求項４に記載のセラミック製ディスクダイバータバルブ。
【請求項６】
該クランプ手段は、該静止したディスクと該ガスケットを通り該本体内に伸張する、ネジを具備する請求項５に記載のセラミック製ディスクダイバータバルブ。
【請求項７】
該ハンドルが該本体から突き出る、該セラミック製ディスクダイバータバルブは、該本体の周りに搭載されたセレクタリングを更に具備しており、該セレクタリングは該ハンドルに、作動するように接続される、
請求項６に記載のセラミック製ディスクダイバータバルブ。
【請求項８】
該本体内に第２の静止したセラミック製ディスクを更に具備しており、該第１と第２の静止したディスクは、該可動なディスクの対向する側に配設される請求項７に記載のセラミック製ディスクダイバータバルブ。
【請求項９】
該本体内の該可動なディスクと該第２の静止したディスクとを固定するヘッドナットを更に具備する請求項８に記載のセラミック製ディスクダイバータバルブ。
【請求項１０】
該静止したディスクには、スプレイ孔と、ストリーム孔と、供給孔と、が形成されており、
該可動なディスクには供給孔が形成されており、
該可動なディスク供給孔は、該ダイバータが該第１の位置にある場合に、該静止したディスク供給孔に整列しており、
該可動なディスク供給孔は、該ダイバータが該第２の位置にある場合に、該ストリーム孔に整列しており、
該可動なディスク供給孔は、該ダイバータが該第３の位置にある場合に、該スプレイ孔に整列する、
請求項１に記載のセラミック製ディスクダイバータバルブ。
【請求項１１】
該静止したディスクには、戻り孔と処理出口孔とが形成されており、
該可動なディスクには溝が形成されており、該溝は、該可動なディスクが該第１の位置にある場合に、該戻り孔と該出口孔とを相互接続する、
請求項１０に記載のセラミック製ディスクダイバータバルブ。
【請求項１２】
セラミック製ディスクダイバータバルブにおいて、このセラミック製ディスクダイバータバルブは、
水蛇口に搭載可能な入口を有するダイバータバルブ本体と、
流れにおいて処理されない水を吐出するための該ダイバータバルブ本体上のストリーム出口手段と、
スプレイにおいて処理されない水を吐出するための該ダイバータバルブ本体上のスプレイ出口手段と、
処理された水を吐出するための該ダイバータバルブ本体上の処理水出口手段と、
水を水処理装置の方向に流すための該ダイバータバルブ本体上の第２の出口手段と、
前記水処理装置からの処理された水を受けるための該ダイバータバルブ本体上の第２の入口手段と、
該ダイバータバルブ本体内に配設された第１の静止したセラミック製ディスクと、
該第１のディスクに隣接する該ダイバータバルブ本体内に可動に搭載された可動なセラミック製ディスクと、
該入口が該第２の出口に連絡していて、該第２の入口が該処理出口に連絡している、第１の位置と、
該入口が該ストリーム出口手段に連絡していて、該可動なディスクが該第２の入口と該第２の出口をシールする、第２の位置と、
該入口が該スプレイ出口手段に連絡していて、該可動なディスクが該第２の入口と該第２の出口をシールする、第３の位置と、の内の１つに該可動なセラミック製ディスクを移動するための手段と、
を具備するセラミック製ディスクダイバータバルブ。
【請求項１３】
該第１の静止したディスクと該本体との間に配設されたガスケットと、
該第１の静止したディスクと該ガスケットを、該第２の静止したディスクと該可動なディスクに対して独立する該本体にクランプするためのクランプ手段と、  を更に具備する、請求項１２に記載のセラミック製ディスクダイバータバルブ。
【請求項１４】
該クランプ手段は、該第１の静止したディスクと該ガスケットを通り該本体内に伸張する、ネジを具備する請求項１３に記載のセラミック製ディスクダイバータバルブ。
【請求項１５】
該可動なセラミック製ディスクを移動するための該手段は、該可動なセラミック製ディスクから伸張するハンドルを具備する請求項１４に記載のセラミック製ディスクダイバータバルブ。
【請求項１６】
該ハンドルは該可動なセラミック製ディスクと一体である請求項１５に記載のセラミック製ディスクダイバータバルブ。
【請求項１７】
該ハンドルが該本体から突き出る、該セラミック製ディスクダイバータバルブは、該本体の周りに搭載されたセレクタリングを更に具備しており、該セレクタリングは該ハンドルに、作動するように接続される、
請求項１６に記載のセラミック製ディスクダイバータバルブ。
【請求項１８】
該可動なディスクに隣接して搭載された第２の静止したディスクを更に具備しており、該可動なディスクは、該第１の静止したディスクと該第２の静止したディスクとの間に配設されており、
該本体内の該可動なディスクと該第２の静止したディスクとを固定するヘッドナットを更に具備する請求項１７に記載のセラミック製ディスクダイバータバルブ。
【請求項１９】
該第１の静止したディスクには、スプレイ孔と、ストリーム孔と、供給孔と、が形成されており、
該可動なディスクには供給孔が形成されており、
該可動なディスク供給孔は、該ダイバータが該第１の位置にある場合に、該第１の静止したディスク供給孔に整列しており、
該可動なディスク供給孔は、該ダイバータが該第２の位置にある場合に、該ストリーム孔に整列しており、
該可動なディスク供給孔は、該ダイバータが該第３の位置にある場合に、該スプレイ孔に整列する、
請求項１８に記載のセラミック製ディスクダイバータバルブ。
【請求項２０】
該第１の静止したディスクには戻り孔と処理出口孔とが形成されており、
該可動なディスクは溝を具備しており、該溝は、該可動なディスクが該第１の位置にある場合に、該戻り孔と該出口孔とを相互接続する、
請求項１９に記載のセラミック製ディスクダイバータバルブ。
【請求項２１】
セラミック製ディスクダイバータバルブにおいて、このセラミック製ディスクダイバータバルブは、
本体であって、水蛇口に搭載可能な入口と、
流れにおいて処理されない水を吐出するためのストリーム出口手段と、
スプレイにおいて処理されない水を吐出するためのスプレイ出口手段と、      処理された水を吐出するための処理水出口手段と、
水を水処理装置の方向に流すための第２の出口手段と、
前記水処理装置からの方向において処理された水を流すための第２の入口手段と、
を有する本体と、
該ダイバータバルブ本体内に配設された第１と第２の静止したセラミック製ディスクと、
該第１のディスクと該第２のディスクとの間において該ダイバータバルブ本体内に可動に搭載された可動なセラミック製ディスクと、
を具備しており、
該可動なセラミック製ディスクは、
該入口が該第２の出口に連絡していて、該第２の入口が該処理出口に連絡している、第１の位置と、
該入口が該ストリーム出口手段に連絡していて、該可動なディスクが該第２の入口と該第２の出口をシールする、第２の位置と、
該入口が該スプレイ出口手段に連絡していて、該可動なディスクが該第２の入口と該第２の出口をシールする、第３の位置と、の内の１つに選択的に該可動なセラミック製ディスクを移動するための一体式のハンドルを具備する、
セラミック製ディスクダイバータバルブ。
【請求項２２】
該第１の静止したディスクと該本体との間に配設されたガスケットと、
該第１の静止したディスクと該ガスケットを、該第２の静止したディスクと該可動なディスクに対して独立する該本体にクランプするためのクランプ手段と、  を更に具備する、請求項２１に記載のセラミック製ディスクダイバータバルブ。
【請求項２３】
該クランプ手段は、該第１の静止したディスクと該ガスケットを通り該本体内に伸張する、ネジを具備する請求項２２に記載のセラミック製ディスクダイバータバルブ。
【請求項２４】
該ハンドルが該本体から突き出る、該セラミック製ディスクダイバータバルブは、該本体の周りに搭載されたセレクタリングを更に具備しており、該セレクタリングは該ハンドルに、作動するように接続される、
請求項２３に記載のセラミック製ディスクダイバータバルブ。
【請求項２５】
該本体内の該可動なディスクと該第２の静止したディスクとを固定するヘッドナットを更に具備する請求項２４に記載のセラミック製ディスクダイバータバルブ。
【請求項２６】
該第１の静止したセラミック製ディスクには、スプレイ孔と、ストリーム孔と、供給孔と、が形成されており、
該可動なディスクには供給孔が形成されており、
該可動なディスク供給孔は、該ダイバータが該第１の位置にある場合に、該静止したディスク供給孔に整列しており、
該可動なディスク供給孔は、該ダイバータが該第２の位置にある場合に、該ストリーム孔に整列しており、
該可動なディスク供給孔は、該ダイバータが該第３の位置にある場合に、該スプレイ孔に整列する、
請求項２５に記載のセラミック製ディスクダイバータバルブ。
【請求項２７】
該第１の静止したセラミック製ディスクには、戻り孔と処理出口孔とが形成されており、
該可動なディスクには溝が形成されており、該溝は、該可動なディスクが該第１の位置にある場合に、該戻り孔と該出口孔とを相互接続する、
請求項２６に記載のセラミック製ディスクダイバータバルブ。
【発明の詳細な説明】
【０００１】
・発明の分野
本発明は、ダイバータバルブ（切替弁）に係わり、より特別には水処理装置（システム）を通る水の流れを選択的に制御するために水蛇口への取り付けのためのセラミック製ディスクダイバータバルブに関する。
【０００２】
・関連技術の説明
蛇口を通り吐出される水の品質は、非常に多くの人々にとっての関心事である。多数の人にとって、地方自治体の又は建物の水供給により供給される水は、洗濯又はすすぎ（リンス）目的には十分に清浄であるが、しかし飲料や調理用としては十分な品質ではない。従って水処理装置が、適用可能であり、それは蛇口に接続されて、蛇口から流出する水を処理する。その様な装置は、蛇口の出口に直接的に取り付けられるか、又は蛇口からの水の流れを前記処理装置を介して蛇口に戻すダイバータ（切り替え器又は弁）を具備するかのいずれかであっても良い。フィルタ及び清浄化媒体は、頻繁に消耗するので、従来のダイバータは、処理された水が必要ではない場合、例えば洗濯やすすぎの場合等に、水処理装置をバイパスする能力を有する。これはフィルタ及び清浄化媒体の寿命を延ばす。
【０００３】
一般的に、水処理装置との使用を目的とするダイバータバルブ（切替弁）は、水処理装置の入口ライン又は水処理装置からの出口ラインを閉鎖するだけである。入口だけで水を止めることは、水が細菌及び他の所望しないものが処理された水の戻りライン及び水処理装置自体に侵入する開放通路を生じ得る処理された水の出口から流出し続け得るので問題である。更に、ダイバータが非処理モードに切り替えられた後での、処理された水の吐出部からの水の連続的流れは、それ自体が望まれない。処理された水の戻りラインにおいてのみで水を止めることは、水処理システム装置が常時供給ライン圧力下に曝され続けるので問題がある。供給ライン圧力におけるサージ（波動）は水処理装置に損傷を与える可能性がある。Ｐｉｐｐｅｌの米国特許第５，２７９，３２９号はこれらの関心事を取り扱う目的のダイバータバルブを開示する。Ｐｉｐｐｅｌのダイバータは処理モード、非処理流れ（ストリーム）モード及び非処理スプレイモードで作動する。前記ダイバータはスプールバルブを具備しており、スプールバルブは、非処理流れモード又は非処理スプレイモードにおいて、処理された水の戻りラインを閉じて、供給ラインを水処理システム装置から分離する。目立った改善にも係わらず、該スプールバルブは比較的大きく、比較的短寿命の従来のＯリングを具備する。
【０００４】
・本発明の概要
既知の問題は本発明により克服されており、そこでは水処理装置と共に使用するためのダイバータは、非処理水モードにおいて、水処理装置の入口及び出口ライン両者の能動的な閉止を有するセラミック製ディスクバルブを具備する。好適な実施の形態においてダイバータバルブは、バルブ本体内で共に挟まれる３つのセラミック製ディスクを具備しており、この際前記セラミック製ディスクは別のもの（ディスク）に対して回転可能で、それの作動の種々のモードの間において前記ダイバータを選択的に駆動する。
【０００５】
好適な実施の形態においてダイバータは、ダイバータが処理された水を吐出する処理モードと、非処理の（処理されない）水がスプレイで吐出される非処理スプレイモードと、非処理の水がストリーム（通常流れ）で吐出される非処理流れ（ストリーム）モードとの間で作動可能である。
【０００６】
より好適な実施の形態において下部のセラミック製ディスクには、５つの孔が形成されており、その本体に対して静止している。頂部のセラミック製ディスクは、中央に配置された１つの孔を形成しており、その本体に対して静止している。中央のセラミック製ディスクは、前記頂部と底部のディスク間に挟まれており、単一の孔とチャンネル（通路）溝を形成する。前記中央のディスクは、種々のディスク孔を必要に応じて整列して所望のタイプの流れを吐出するように選択的に可動である。
【０００７】
これとは別の好適な実施の形態において前記中央ディスクは、前記バルブ本体から突き出る一体のハンドルを具備する。前記ダイバータは前記バルブ本体に対して前記ハンドルを回転することにより、種々のモードのオペレーション（作動）の間において動かされる。
【０００８】
別の好適な実施の形態において前記ダイバータは、前記中央及び底部のディスクから独立して、前記底部ディスクを前記バルブ本体に対してクランプするためのクランプ機構を具備する。前記クランプ機構は、前記底部ディスクの中央を通り前記バルブ本体内に伸張するネジを具備することが好ましい。前記ネジは前記底部ディスクをガスケットに対してクランプ（締結）する。
【０００９】
本発明は、簡単で効果的なセラミック製ディスクダイバータを提供しており、そのセラミック製ディスクダイバータは他のものの間で比類がなく、それは３つのセラミック製ディスクだけにより上記のオペレーションを実現するだけではなく、処理された水が流れる場合以外の全ての位置において、水処理装置は、非処理の水出口と非処理の水入口の両者において前記セラミック製ディスクによりシール（密閉）される。入り口と出口の両者での水処理装置の能動的な閉止は、本明細書では「二重式能動閉止」と呼んでおり、エア及び細菌の前記処理装置への侵入し易さを低減させる。二重式能動閉止はまた、処理装置から流入する水が即座に止められることを可能にする。これは、前記バルブが処理された水の位置から外れるように駆動された後の水の継続的流れの一般的問題を防止しており、その問題は、水が処理装置から又はそれへ漏れる際に、多くの従来のダイバータにおいて発生する。前記ダイバータバルブにおける二重式能動閉止はまた、水処理装置を水供給ラインの圧力サージから遮断するので、それにより水処理装置を防御する。前記中央ディスクの一体式ハンドルは、バルブハウジングから独立した中央ディスクの回転を可能にする。これは、関節式ハウジングを有する必要性を排除するので、従ってハウジングシールの必要性と、ハウジングシールが摩耗した場合のハウジングの漏洩の可能性とを排除する。これとは別に、本発明は、前記ダイバータが水処理装置における潜在的圧縮により処理モードに戻された場合において、「インスタント（即時の）」起動を提供する。
【００１０】
本発明のこれら及び別の目的、利点及び形態は、記述される明細書及び添付の図面を参照してより十分に理解され認識されるであろう。
【００１１】
・好適な実施の形態の詳細な説明
本発明の好適な実施の形態に従うセラミック製ディスクダイバータバルブは、図１に示されており、一般的に１０で指定される。セラミック製ディスクダイバータバルブ１０は従来の蛇口に設置され、水処理装置（図示されない）に接続される。ダイバータ１０は３つの異なるモードで選択的に作動し、それらは（１）ダイバータが処理水出口１４から処理された水の流れを吐出する処理モードと、（２）処理されない水が非処理水ストリーム（流れ）出口６からの流れ（ストリーム）として吐出される非処理流れ（ストリーム）モードと、更に（３）非処理水が非処理水スプレイ出口５からのスプレイ（噴霧）で吐出される非処理スプレイモードとである。水処理装置に接続するために、ダイバータ１０は、非処理水を水処理装置に供給する第２の出口８と、水処理装置からの処理された水を受ける第２の入口７とを具備する。ダイバータ１０はその一般的な構成において、バルブ本体３０と、頂部と底部の静止したディスク１３と１１間に挟まれる可動中央ディスク１２とを、それぞれ具備する。中央ディスク１２は、バルブ本体から突き出ていてダイバータ１０を所望のモードのオペレーションへ動かすために回転可能である、ハンドル１を具備する。
【００１２】
ここで、ダイバータバルブ本体３０を図２〜４と関連して非常に詳細に説明する。本体３０は、外側に突き出る第２の入口７と、第２の出口８と、処理水出口１４とを有する一般的に直立した円筒状の本体である。従来のフィティング（図示されない）は、第２の入口７と第２の出口８との範囲内に搭載されて、従来の水供給ライン（図示されない）を使用する水処理装置（図示されない）への接続を可能にする。所望で有れば、フローコントローラ（流れ制御装置）（例えば、固定式オリフィス又はフレキシブル可変オリフィスフローコントローラ）（図示されない）が、第２の入口７又は第２の出口８のいずれかに搭載可能である。上に開く円筒状の空洞４８は本体３０内に形成される。空洞４８は、Ｏリング５０、ヘッドナット５２、ガスケット５４及び圧縮ナット５６と同様にディスク１１，１２と１３を受容するために十分な寸法を有する。空洞４８の上部端部は内ネジが切られており、ヘッドナット５２と圧縮ナット５６とをネジ込まれるように受容する。本体３０は、リブ５８又は別の突起を具備しており、ヘッドナット５２の過剰締め込みを防止する。本体３０にはまたハンドルスロット（開口）６０が形成される。本体３０には、以下でより詳細に説明されるように、底部ディスク１１を本体３０にクランプするための空洞４８のベースの中央に設置されたネジボス９６が更に形成される。本体３０はまた、本体３０の底部を閉じる閉鎖７２を具備する。閉鎖７２はプラスティック製であり、本体３０の底部に溶接されるか、さもなければ固定される。閉鎖７２は、処理水噴出口７４と、スプレイ孔７６と、ストリーム孔７８とを具備する。Ｏリング８０又は別のシールが水噴出口７４の周りに配設される。第２のＯリング８２又は別のシールがストリーム孔７８の周りに配設される。ディテント（爪）バネ１３２及びディテントボール１３０は、本体３０のディテントボイド（空洞）内に取り付けられ、閉鎖７２により固定される。ディテントボール１３０の一部分は本体３０の小さなディテント開口１３６から突き出ており、そこではそれは、ダイバータ１０がオペレーションのモード間で移動する際に、セレクタリング１２０の３つのディテント（図示されない）と相互作用して触知できる応答を提供する。スプレイヘッド８４は閉鎖７２にネジ込まれて搭載される。スプレイヘッド８４は、従来式のエイレータ（炭酸水製造器等）（図示されない）を受容して非処理ストリーム（流れ）出口６を形成するように適応される、内部ストリーム（流れ）部分８６を具備する。スプレイヘッド８４はまた、複数の孔９０を有する外側スプレイ部分８８を具備しており、孔９０は非処理スプレイ出口５を形成する。Ｏリング９２又は別のシールは閉鎖７２とスプレイヘッド８４との間に配設される。本体３０の内部は、水の流れをダイバータバルブ１０を通過する方向に向ける複数の通路を形成する。供給通路６２は空洞４８のベースから第２の出口８へ伸張する。戻り通路６４は第２の入口７から空洞４８のベースへ伸張する。処理出口通路６６は空洞４８のベースから水噴出口７４を介して処理水出口１４へ伸張する。ストリーム出口通路７０は空洞４８のベースからストリーム孔７８を介して非処理ストリーム（流れ）出口６へ伸張する。そして最後に、スプレイ出口通路６８は空洞４８のベースからスプレイ孔７６を介して非処理スプレイ出口５へ伸張する。本体３０と閉鎖７２とスプレイヘッド８４は、従来の技術及び装置を使用して、高強度のポリマー（重合体）材料により製作されることが好ましい。
【００１３】
上記で分かるように、ダイバータバルブ本体３０は、可動な中央セラミック製ディスク１２と、静止する頂部セラミック製ディスク１３と、静止する底部セラミック製ディスク１１とを収容する。セラミック製ディスク１１，１２と１３は、従来技術と装置を使用して製造される。セラミック製ディスク１１，１２と１３は、お互いに接触するセラミック表面間に水密の接続部（インターフェース）を形成するために高度に研磨されることが好ましい。図５〜６に示されるように、底部ディスク１１には、本体３０の流路に連絡する５つの孔１５，１６，１７，１８と１９が形成される。供給孔１５は、供給通路６２に整列して、非処理水の第２の出口８への通過を可能にする。戻り孔１６は、戻り通路６４に整列して、第２の入口７を通り還流する処理された水を受容する。処理出口孔１７は、ダイバータが処理モードにある時に、処理出口通路６６に整列して、処理された水を処理水出口１４に供給する。ストリーム孔１９は、ダイバータバルブがストリームモードにある時に、ストリーム出口通路７０に整列して、処理されない水を非処理流れ出口６に供給する。そして最後に、スプレイ孔１８は、ダイバータがスプレイモードにある時に、スプレイ出口通路６８に整列して、処理されない水を非処理スプレイ出口５に供給する。底部ディスク１１にはまた、ネジ１１６により底部ディスク１１を空洞４８のベースにクランプするための中央ネジ孔９４が形成される。ネジ孔９４は、所望で有れば座ぐりされても良い。底部ディスク１１には、３つのキー溝９８ａ−ｃが形成されており、前記キー溝は本体３０に形成されたキー１００ａ−ｃに組み合わされて底部ディスク１１の回転を防止しても良い。底部ディスク１１はガスケット２４上に配設されており、前記ガスケットは底部ディスク１１の下面をダイバータバルブ本体３０に対してシールする。ガスケット２４には、キー溝９８ａ−ｃに整列させられるノッチ（切り欠き）と同様に、種々の孔１５，１６，１７，１８，１９と９４に整列する開口が形成される。組み立てにおいて、ガスケット２４と底部ディスク１１は空洞４８内に取り付けられる。ネジ１１６は、底部ディスク１１とガスケット２４とを介してネジボス９６内に装着される。ネジ１１６は、締め込まれて底部ディスク１１とガスケット２４を所定位置にクランプ（締結）する。ネジ１１６は種々の別のクランプ機構により置換されても良い。例えば、底部ディスク１１とガスケット２４は、音響的に（ｓｏｎｉｃａｌｌｙ）空洞４８のベースに囲まれ（ｓｔａｋｅｄ）ても良い。別の例として、個別のヘッドナットが、底部ディスク１１とガスケット２４をクランプするように具備されても良い。幾つかの用途において、ネジ１１６を排除し、空洞４８内の全ての３つのディスクをヘッドナット５２により固定することが可能であっても良い。幾つかの用途においてしかし、ガスケット２４をヘッドナット５２により適切に圧縮するのに必要な力が大き過ぎて、中央ディスク１２を回転することが困難になるかもしれない。
【００１４】
可動な中央セラミック製ディスク１２は、静止するセラミック製ディスク１１上に配設されて、一体式ハンドル１を具備しており、前記ハンドル１は本体３０からハンドルスロット６０を通り突き出る。中央ディスク１２は、一体のハンドル１の操作により底部ディスク１１に対して選択的に可動である。図７〜８に示すように、中央ディスク１２には供給孔２２が形成されており、その供給孔２２はディスク１２を通り完全に伸張しており、同様にチャンネル溝２０がディスク１２の下面に配設される。供給孔２２は、ダイバータが処理モードにある場合に、底部ディスク１１の供給孔１５に整列するように、又はダイバータが非処理流れ（ストリーム）モードにある場合に、底部ディスク１１のストリーム孔１９に、あるいはダイバータが非処理スプレイモードにある場合に、底部ディスク１１のスプレイ孔１８に整列するように形成される。これとは別に、チャンネル溝２０は、ダイバータが処理モードにある場合に、戻り孔１６と処理出口孔１７に整列して、相互接続するように形成される。中央ディスク１２はまた、その底面に中央開口１０４を形成して底部ディスククランプネジ１１６を収容しても良い。底部及び中央ディスクの孔及びチャンネル溝の寸法、形状及び精密な配置は、用途によって変化可能であり、やはり所望の二重能動閉止を提供する。
【００１５】
静止する頂部セラミック製ディスク１３は、中央ディスク１２の上に配設される。図９から１０に示されるように、頂部ディスク１３は一般的に環状であり、大きな中央貫通孔１０６を形成する。頂部ディスク１３は断面において傾斜しており、Ｏリング５０と比較的狭い底面とに係合するように適応された比較的広い上面を形成する。狭くて一体式の環状バンド１１０は頂部ディスク１３の下面周囲に伸張する。環状バンド１１０は、頂部ディスク１３と中央ディスク１２との間の接続部（インターフェース）をシールする。前記バンドの狭い寸法により、頂部ディスク１３と中央ディスク１２との間の接続部の表面積は減少されるので、それにより２つの構成要素間の摩擦を減少し、中央ディスク１２の回転を促進する。頂部ディスク１３は、一対の耳１１２ａ−ｂを具備しており、その耳は本体３０の一対の対応するキー溝１１４（図面では一個だけが表示される）に組み合わされて、本体３０に対する頂部ディスク１３の回転を防止する。
【００１６】
図１１〜１２に示されるように、中央ディスク１２と頂部ディスク１３は、ヘッドナット５２によりしっかりと空洞４８内に保持される。ヘッドナット５２は、大きな中央開口１１８有する環状の外ネジ付きの構成要素であり、その中央開口１１８は水がディスク１１，１２と１３へ流れることを可能にする。Ｏリング５０又は別のシールは、ヘッドナット５２と頂部ディスク１３との間に配設されて、ヘッドナット５２と頂部ディスク１３との間の接続部をシールする。ヘッドナット５２は、頂部ディスク１３と中央ディスク１２が所望の圧縮を受ける地点までそれが締め込まれる場合に、リブ５８に係合するように形成される。これは、ヘッドナット５２の過剰締め込みを防止しており、ヘッドナット５２はさもなければ中央ディスク１２を回転させることを過度に困難にする可能性がある。
【００１７】
上記で分かるように、ダイバータ１０は、従来の圧縮ナットアセンブリを使用して、蛇口（図示されない）に固定される。圧縮ナット５６は、従来の蛇口アダプタ３４の周囲に取り付けられて、本体３０の上部端部内にねじ込まれるように取り付けられるように適応される。ガスケット５４は、圧縮ナット５６とヘッドナット５２との間に配設されて、ヘッドナット５２と圧縮ナット５６及び／又は蛇口アダプタとの間の接続部をシールする。
【００１８】
セレクタリング１２０は、本体３０上に取り付けられて、中央ディスク１２のハンドル１に係合する。セレクタリング１２０の主要な機能は、ダイバータ１０のための美的に所望され且つ容易に操作されるアクチュエータを提供することである。リング１２０は、スロット（図示されない）を形成しており、そのスロットは、本体３０からハンドルスロット６０を介して突き出るハンドル１の一部分に、摩擦的に組み合わされる。セレクタリング１２０はまた３つのディテント（図示されない）を形成する。前記ディテントは、セレクタリング１２０がそれの３つのモードのオペレーションの間にダイバータ１０を駆動する際に、ディテントボール１３０と相互作用して触知できる応答を提供する。より特別には前記ディテントは、中央ディスク１２がそのオペレーションモードの１つにおいてダイバータ１０を設置するのに必要な三つの位置の内の任意の位置に位置決めされる際に、ディテントがディテントボール１３０に整列するように、セレクタリング１２０において位置決めされる。セレクタリング１２０は、完全に環状であることが好ましいが、しかし種々の代替の形状及び設計であっても良い。例えばセレクタリング１２０は、半円形リング又は別の同様なアクチュエータにより置換されても良い。厳密には必要ではないが、前記セレクタリング又は代替のアクチュエータは、ハンドルスロット６０をその動きの全範囲にわたって完全にカバーすることが好ましい。これは、視界からハンドルスロット６０を隠して、ハンドルスロット６０における埃、カビ（ｍｏｌｄ）、又は白カビ（ｍｉｌｄｅｗ）の形成し易さを低減する。
【００１９】
・作動
より十分に下記にて説明されるように、セラミック製ディスクダイバータバルブは、３つの位置の１つに設定可能である。処理モードにおいて、水はダイバータ１０から水処理装置（図示されない）を介して更に処理水出口１４から外への方向で流される。非処理流れモードにおいて水は、ダイバータ１０を介してストリーム（流れ）出口６への方向で流される。非処理スプレイモードにおいて水は、ダイバータ１０を介してスプレイ出口５への方向で流される。より特別にはダイバータ１０は、セレクタリング１２０の回転によりオペレーションの所望のモードに設置される。セレクタリング１２０は、セレクタリング１２０の回転が中央ディスク１２の回転を生じるように、ハンドル１に接続される。オペレーションの全てのモードにおいて水は、蛇口アダプタ３４を介してダイバータ１０に入り、ガスケット５４と、ヘッドナット５２の中央開口１１８と、頂部ディスク１３の中央開口１０６とを介して中央ディスク１２の頂部表面へ流れる。水は、中央ディスク供給孔２２に入り、更に中央ディスク１２の位置に依存して、水を底部ディスク供給孔１５又は底部ディスクストリーム孔１９又は底部ディスクスプレイ孔１８の１つの方向に向けて流す。
【００２０】
オペレーションの種々のモードにおけるダイバータ１０の水の流路は、図１３から１５を参照して説明される。図１３に示されるように、ダイバータ１０が処理モードにある場合に、中央ディスク１２の供給孔２２は底部ディスク１１の供給孔１５に整列する。結果として水は、中央ディスク供給孔２２から底部ディスク供給孔１５へ流れる。底部ディスク供給孔１５から水は、供給通路６２を介して第２の出口８へ流れる。第２の出口８から水は、水処理装置を介して流れて、一旦処理された後に、第２の入口７においてダイバータ１０へ還流する。第２の入口７から、処理された水は戻り通路６４を介して底部ディスク１１の戻り孔１６へ流れる。処理された水はその後、戻り孔１６を介して中央ディスク１２のチャンネル溝２０内へ流入する。処理された水はチャンネル溝２０に沿って流れて、底部ディスク１１の処理出口孔１７を通り流れる。処理された水はその後処理出口通路６６を介して処理水噴出口７４へ流れて、最終的に処理水出口１４から流出する。
【００２１】
図１４に示されるように、ダイバータ１０が非処理流れモードにある場合に、中央ディスク供給孔２２は底部ディスクストリーム孔１９に整列する。結果として非処理水は、中央ディスク供給孔２２から底部ディスクストリーム孔１９へ流れる。水はその後、ストリーム出口通路７０を介してスプレイヘッド８４のストリーム部分８６へ流れて、最終的にエアレータ（図示されない）及びストリーム出口６から流出する。
【００２２】
図１５に示されるように、ダイバータ１０が非処理スプレイモードにある場合に、中央ディスク供給孔２２は底部ディスクスプレイ孔１８に整列する。結果として非処理水は、中央ディスク供給孔２２から底部ディスクスプレイ孔１８へ流れる。水はその後、閉止スプレイ孔７６を含むスプレイ出口通路６８を介してスプレイヘッド８４のスプレイ部分８８へ流れて、最終的にスプレイ出口５から流出する。
【００２３】
・別の実施の形態
図１６は本発明の別の実施の形態を示す。上記の実施の形態のように、別のダイバータ２００は、処理モードとスプレイモードと流れ（ストリーム）モードとの間で作動可能であり、スプレイモードとストリーム（流れ）モードに有る場合に二重能動閉止を提供する。上記の実施の形態とは異なり、別のダイバータ２００は、３つの代わりに２つのセラミック製ディスクにより上記のオペレーションを実施する。ダイバータ２００はまた、ネジ１１６等の上記の実施の形態の底部ディスククランプ機構を排除する。
【００２４】
ダイバータ２００は一般的に、ハウジング２３０と、ゴム製ガスケット２２４と、静止した底部セラミック製ディスク２１１と、可動な頂部セラミック製ディスク２１２と、Ｏリング２３２と、蛇口アダプタ２３４と、圧縮リング２３６とを具備する。ゴム製ガスケット２２４はハウジング２３０内に設置され、静止した底部セラミック製ディスク２２１はゴム製ガスケット２２４の頂部に載る。静止したディスク２２１は、ハウジング２３０内の対応したキー（図示されない）と組み合わされてハウジング２３０に対する静止したディスク２１１の回転を妨げる、キー溝（図示されない）を形成することが好ましい。可動なセラミック製ディスク２１２は、静止した底部セラミック製ディスク２１１の頂部にある。Ｏリング２３２は、可動なセラミック製ディスク２１２と蛇口アダプタ２３４との間に取り付けられる。Ｏリング２３２は、圧縮リング２３６により、可動なセラミック製ディスク２１２と蛇口アダプタ２３４との間で圧縮される。
【００２５】
ダイバータ２００は可動なセラミック製ディスク２１２上のハンドル２０１により操作されているが、別の実施の形態が、可動なセラミック製ディスク２１２を動かすためのハンドル（図示されない）を具備するケーシングを具備する等の状態で、容易に使用されても良い。可動なセラミック製ディスク２１２は、ハウジング２３０とは独立して回転するので、それによりハウジングシールの必要性を排除し、ハウジングシールが摩耗した際のハウジングの漏洩の可能性を排除する。
【００２６】
静止したセラミック製ディスク２１１は、５つの孔２１５，２１６，２１７，２１８と２１９を形成しており、ハウジング２３０に対して静止している。可動なセラミック製ディスク２１２には、２つの孔２２１と２２２及びチャンネル溝２２０が、チャンネル溝２２０が静止したディスク２１１に向かって開いた状態で形成される。可動なセラミック製ディスク２１２は、所望のタイプの流れを吐出するのに要求されるように、種々のディスク孔及び前記チャンネル溝を整列するために選択的に可動である。静止及び可動なディスク内の前記チャンネル溝及び前記孔の寸法と形状と精密な配置は、要望に応じて用途によって変更可能である。
【００２７】
ダイバータ２００は、静止したセラミック製ディスク２１１の第１の孔２１５と可動なセラミック製ディスク２１２の第１の孔２２１が整列して水が流れることを可能にする状態で、処理水モードで図１８に示される。処理されない水は矢印Ｄで図示されるように、蛇口から孔２１５と２２１を介してダイバータ２００へ流入する。処理されない水はその後矢印Ｏで図示されるように、ダイバータ２００から第２の出口２０８を介して流出する。水は第２の出口２０８から、第２の出口２０８に接続される従来の供給ライン（図示されない）を経由して水処理装置（図示されない）へ流れる。処理後に水は、第２の入口２０７に接続される従来の供給ライン（図示されない）を経由してダイバータ２００内へ還流する。処理された水は矢印Ｉで図示されるように、第２の入口２０７を介してダイバータ２００に流入する。水はその後矢印Ｔで図示されるように、ハウジング２３０を通り、静止したセラミック製ディスク２１１の第２の孔２１６を通り、可動なセラミック製ディスク２１２のチャンネル２２０を通り、静止したセラミック製ディスク２１１の第３の孔２１７を通り、そして処理水出口２１４から流出する。
【００２８】
ダイバータ２００は、静止したセラミック製ディスク２１１の第４の孔２１８と可動なセラミック製ディスク２１２の第１の孔２２１が整列した状態で、スプレイモードで図１９に示される。処理されない水は、第１の孔２２１を通り更に第４の孔２１８を通りダイバータ２００へ流入する。水はその後、ハウジング２３０を通過してスプレイ出口２０５から流出する。
【００２９】
ダイバータ２００は、静止したセラミック製ディスク２１１の第５の孔２１９と可動なセラミック製ディスク２１２の第２の孔２２２が整列した状態で、ストリームモードで図２０に示される。処理されない水は、第２の孔２２２を通り更に第５の孔２１８を通りダイバータ２００へ流入する。水はその後、ハウジング２３０を通過してストリーム出口２０６から流出する。
【００３０】
上記の説明は本発明の好適な実施の形態についてのものである。種々の代案及び変更は、均等主義を含む特許法に原則に従い解釈されるべきである記載された請求項に規定される本発明の精神とより広い形態から逸脱することなく実施されることが可能である。例えば、「１つの」、「前記」又は「該」等の用語を使用する、単一の請求項の要素に対する任意の説明は、単一の要素に限定して解釈されるべきではない。
【図面の簡単な説明】
【図１】
図１は、セラミック製ディスクダイバータバルブの分解立体前面図である。
【図２】
図２は、ダイバータバルブ本体の頂部立体図である。
【図３Ａ】
図３Ａは、ダイバータバルブ本体の底面図である。
【図３Ｂ】
図３Ｂは、スプレイヘッドが取り付けられた状態のダイバータバルブ本体の底面図である。
【図４】
図４は、ダイバータバルブ本体の頂面図である。
【図５】
図５は、静止した底部セラミック製ディスクの頂面図である。
【図６】
図６は、静止した底部セラミック製ディスクの底面図である。
【図７】
図７は、可動な中央ディスクの頂面図である。
【図８】
図８は、可動な中央ディスクの底面図である。
【図９】
図９は、静止した頂部ディスクの頂面図である。
【図１０】
図１０は、静止した頂部ディスクの底面図である。
【図１１】
図１１は、セラミック製ディスクダイバータバルブの左側面の断面図である。
【図１２】
図１２は、セラミック製ディスクダイバータバルブの右側面の断面図である。
【図１３】
図１３は、処理水モードにおける静止した底部及び可動な中央ディスクの頂面図である。
【図１４】
図１４は、流れ（ストリーム）モードにおける静止した底部及び可動な中央ディスクの頂面図である。
【図１５】
図１５は、スプレイモードにおける静止した底部及び可動な中央ディスクの頂面図である。
【図１６】
図１６は、別のセラミック製ディスクダイバータバルブの分解立体前面図である。
【図１７】
図１７は、別のセラミック製ディスクダイバータバルブの出力モードを示す断面図である。
【図１８】
図１８は、処理水モードにおける別のセラミック製ディスクダイバータバルブの内部構成要素及び流路を示す頂面図である。
【図１９】
図１９は、スプレイモードにおける別のセラミック製ディスクダイバータバルブの内部構成要素を示す頂面図である。
【図２０】
図２０は、流れ（ストリーム）モードにおける別のセラミック製ディスクダイバータバルブの内部構成要素を示す頂面図である。
【国際公開パンフレット】
2004537682.tif 000003
2004537682.tif 000004
2004537682.tif 000005
2004537682.tif 000006
2004537682.tif 000007
2004537682.tif 000008
2004537682.tif 000009
2004537682.tif 000010
2004537682.tif 000011
2004537682.tif 000012
2004537682.tif 000013
2004537682.tif 000014
2004537682.tif 000015
2004537682.tif 000016
2004537682.tif 000017
2004537682.tif 000018
2004537682.tif 000019
2004537682.tif 000020
2004537682.tif 000021
2004537682.tif 000022
2004537682.tif 000023
2004537682.tif 000024
2004537682.tif 000025
2004537682.tif 000026
2004537682.tif 000027
2004537682.tif 000028
2004537682.tif 000029
2004537682.tif 000030
2004537682.tif 000031
2004537682.tif 000032
2004537682.tif 000033
2004537682.tif 000034
2004537682.tif 000035
2004537682.tif 000036
2004537682.tif 000037
2004537682.tif 000038
2004537682.tif 000039
2004537682.tif 000040
【国際公開パンフレット（コレクトバージョン）】
2004537682.tif 000041
2004537682.tif 000042
【国際公開パンフレット（コレクトバージョン）】
2004537682.tif 000043
2004537682.tif 000044
2004537682.tif 000045
2004537682.tif 000046
2004537682.tif 000047
2004537682.tif 000048
2004537682.tif 000049
2004537682.tif 000050
2004537682.tif 000051
2004537682.tif 000052
2004537682.tif 000053
2004537682.tif 000054
2004537682.tif 000055
2004537682.tif 000056
2004537682.tif 000057
2004537682.tif 000058
2004537682.tif 000059
2004537682.tif 000060
2004537682.tif 000061
2004537682.tif 000062
2004537682.tif 000063
2004537682.tif 000064
2004537682.tif 000065
2004537682.tif 000066
2004537682.tif 000067
2004537682.tif 000068
2004537682.tif 000069
2004537682.tif 000070
2004537682.tif 000071
2004537682.tif 000072
2004537682.tif 000073
2004537682.tif 000074
2004537682.tif 000075
2004537682.tif 000076
2004537682.tif 000077
2004537682.tif 000078
2004537682.tif 000079
2004537682.tif 000080
【国際調査報告】
2004537682.tif 000081
2004537682.tif 000082
2004537682.tif 000083